(57)【要約】【課題】普通一般に普及している携帯用電話機に対して合理的な構成により適用し、携帯電話機の縦長表示画面を横長表示画面としても使用することができること。【解決手段】液晶表示部を電話機本体のベース板部に連設する支持部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＵＰＵ、該ＵＰＵから制御信号を受取りかつワイド状態の表示画面に対応して情報の位置や表示設定が正しくなるように液晶表示板に対する情報素子を駆動する情報素子駆動回路をそれぞれ介して視覚上見え易く表れることを特徴とする携帯用電話機。【選択図】　図４
2004064716.tif 000002
【特許請求の範囲】
【請求項１】
下部側の入力操作部、上部側の縦長液晶表示部をそれぞれ有する携帯用電話機に於いて、前記液晶表示部を電話機本体のベース板部に連設する支持部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項２】
軸支部２を基準にして下方に位置しかつ掌に載せることができるベース板部１ａ並びに上方に位置しかつベース板部に対して開閉する蓋体支持部１ｂとを有する電話機本体１と、ベース板部に設けられた入力操作部３と、前記蓋体支持部１ｂの内壁面上に軸支され、かつ、初期位置では縦長表示画面に見えるのに対し、水平方向に支軸を介して略９０度回転した場合に表示画面が横長表示画面に見える液晶表示部１０と、電話機に必要な内部回路とをそれぞれ備え、前記横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項３】
下部側の入力操作部、上部側に軸支部を介して開閉自在に設けられかつ縦長液晶表示部をそれぞれ有する携帯用電話機に於いて、前記入力操作部３Ａは電話機本体１Ａのベース部１ａに支軸１１Ａを介して回転可能に設けられ、或いは電話機本体１Ａは入力操作部３Ａに対して回転可能に設けられ、前記縦長液晶表示部は、水平方向に支軸を介して略９０度回転した場合に表示画面が横長表示画面に見え、該横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項４】
請求項１に於いて、入力操作部３Ａには、表示画面に表れる情報を読み易いように反転ないし整列させるために用いられる情報素子制御用駆動釦が設けられていることを特徴とする携帯用電話機。
【請求項５】
下部側の入力操作部、上部側の縦長液晶表示部をそれぞれ有する携帯用電話機に於いて、前記液晶表示部を電話機本体のベース板部に回転自在に軸支された支持部材の一端部に軸支し、該液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項６】
請求項５に於いて、支持部材は、嵌合支持枠部と、この嵌合支持枠部の底壁に突出形成された軸受け部とから成り、前記嵌合支持枠部の他端部には、縦長液晶表示部の下端部が嵌合した際に、該縦長液晶表示部の係合手段と係合する被係合部が形成されていることを特徴とする携帯用電話機。
【請求項７】
請求項５に於いて、入力操作部の側壁上端部には、縦長液晶表示部が支軸を介して略９０度回転した際に、横長状態になった該液晶表示部を所定位置に止めるストッパー部が突設されていることを特徴とする携帯用電話機。
【発明の詳細な説明】
【０００１】
【発明の属する技術分野】
本発明は、携帯用電話機に関する。
【０００２】
【従来の技術】
近年、ＰＨＳ，ｉ−ｍｏｄｅ（登録商標）などの携帯用電話機が普及している。携帯用電話機の形態は、普通一般に用途との関係で掌にのることができるような大きさにする必要があることから、その形状や液晶表示部の表示画面の大きさも制約を受ける。携帯用電話機の種類は、入力操作部の上方に液晶表示部が連設するストレート型と、入力操作部と液晶表示部とが一体的に設けられた折り畳み型に大別することができる。後者の折り畳み型電話機は、前者のストレート型よりも縦長表示画面が多少大きいものの、それでも情報（文字、図形など）が小さいので、表示画面が縦長であることも相俟って、読み難い或いは見にくいと感じる人がいる。
【０００３】
【発明が解決しようとする課題】
本発明の第１の目的は、携帯電話機の縦長表示画面を横長表示画面としても使用することができることである。本発明の第２の目的は、縦長表示画面を横長表示画面にした時、操作釦一つで、又は自動的に横長表示画面に対応して情報の位置や表示設定が正しく表れることである。第３の目的は、普通一般に普及している携帯用電話機に対して合理的な構成により適用することができることである。
【０００４】
【課題を解決するための手段】
本発明の携帯用電話機は、下部側の入力操作部、上部側の縦長液晶表示部をそれぞれ有する携帯用電話機に於いて、前記液晶表示部を電話機本体のベース板部に連設する支持部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。
【０００５】
また本発明の携帯用電話機は、軸支部２を基準にして下方に位置しかつ掌に載せることができるベース板部１ａ並びに上方に位置しかつベース板部に対して開閉する蓋体支持部１ｂとを有する電話機本体１と、ベース板部に設けられた入力操作部３と、前記蓋体支持部１ｂの内壁面上に軸支され、かつ、初期位置では縦長表示画面に見えるのに対し、水平方向に支軸を介して略９０度回転した場合に表示画面が横長表示画面に見える液晶表示部１０と、電話機に必要な内部回路とをそれぞれ備え、前記横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。
【０００６】
また本発明の携帯用電話機は、下部側の入力操作部、上部側に軸支部を介して開閉自在に設けられかつ縦長液晶表示部をそれぞれ有する携帯用電話機に於いて、前記入力操作部３Ａは電話機本体１Ａのベース部１ａに支軸１１Ａを介して回転可能に設けられ、或いは電話機本体１Ａは入力操作部３Ａに対して回転可能に設けられ、前記縦長液晶表示部は、水平方向に支軸を介して略９０度回転した場合に表示画面が横長表示画面に見え、該横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。
【０００７】
さらに、本発明の携帯用電話機は、下部側の入力操作部、上部側の縦長液晶表示部をそれぞれ有する携帯用電話機に於いて、前記液晶表示部を電話機本体のベース板部に回転自在に軸支された支持部材の一端部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＵＰＵ１５、該ＵＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。
【０００８】
【発明の実施の形態】
図１乃至５図は、本発明の第１実施例を示す各説明図である。まず図１を参照にして携帯用電話機Ｘを説明する。携帯用電話機の基本的形態は、普通一般に入力操作部の上方に液晶表示部が連設するストレート型と、中心部の軸支部を介して入力操作部と液晶表示部とが一体的に設けられた折り畳み型とに区分けすることができる。第１実施例の携帯用電話機Ｘは、基本的には後者のタイプに属する。
【０００９】
すなわち、１は縦長の電話機本体である。この電話機本体１は、軸支部２を基準にして下方に位置しかつ掌に載せることができるベース板部１ａと、一方、上方に位置しかつベース板部１ａに対して開閉する山形状の蓋体支持部１ｂとから構成されている。３は前記ベース板部１ａの上面に一体的に設けられた入力操作部で、この入力操作部３の表面の上部には、表示画面に表れるカーソル（ポインター）の方向やメニューの選択に用いられる方向盤（ポインティング・デバイス）４が設けられている。また入力操作部３の方向盤４の下方側には、電源釦、数字釦、記号釦など複数個（例えば１８個）の操作釦５が整列状態（例えば三列）に設けられている。
【００１０】
さらに、入力操作部３の操作釦５の下方には、左右一対の情報素子制御用駆動釦６，７が配設されている。また、左右の駆動釦６，７の間に中央部の情報素子制御用駆動釦８が設けられている。
【００１１】
これらの駆動釦６，７，８は、後述する表示画面に表れる情報（例えば文字情報、図形情報など）を読み易いように反転ないし整列させるために用いられる。ここでは符合６を液晶表示部１０が左回転（反時計方向）した場合に用いられる情報素子制御用駆動釦、一方、符合７を液晶表示部１０が右回転（時計方向）した場合に用いられる情報素子制御用駆動釦、符合８を初期状態に戻した場合（横長表示画面１２ａ，１２ｂから縦長表示画面１２に戻した時）に用いられる情報素子制御用駆動釦とする。
【００１２】
１０は蓋体支持部１ｂの内壁面上に支軸１１を介して回転自在に設けられた液晶表示部で、この液晶表示部１０の表面には、常態の位置では縦長表示画面１２が設けられている。液晶表示部１０は、本実施例では支軸１１を基準にして略９０度左回転させることが出来る（図２参照）のみならず、略９０度右回転させることもできる（図３参照）。液晶表示部１０を手で左右いずれかに回転させると、前記縦長表示画面１２は横長表示画面（俗に「ワイド画面」の状態）１２ａ，１２ｂになる。
【００１３】
１３は液晶表示部１０の右上端部に伸縮自在に設けられたアンテナである。携帯用電話機Ｘには、その他スピーカ、マイク、他の機器との出入力端子などが適宜に設けられている。なお、アンテナ１３は、設計如何によって蓋体支持部１ｂ又はベース部１ａの方に設けても良い。
【００１４】
図４は携帯用電話機Ｘの内部の回路を示す説明図である。１５は中央演算処理装置（以下「ＣＰＵ」という。）で、このＣＰＵ１５には各種の回路や装置が電気的に接続している。
【００１５】
すなわち、１６は情報やメインプログラムを記憶するファイル装置、１７は双方向の信号の授受が可能な信号変換回路、１８は電話機Ｘの液晶表示部１０の回転方向を検出する回転方向検出回路、１９は表示画面に表れる情報を所定方向へ反転させる機能、情報を反転させた場合に文字数、行数等を画面表示（縦長か、それとも横長か）に対応して設定させる機能及びカーソルの方向を指定する機能をそれぞれ有する情報素子駆動回路である。
【００１６】
さらに、液晶表示部１０の上部に設けられたスピーカ２１は電話回路２０に接続し、一方、入力操作部３の下部に設けたマイク２２は信号変換回路１７に接続している。
【００１７】
しかして、ＣＰＵ１５には前述した方向盤４や操作釦５の操作に基づく信号が流れる。またＣＰＵ１５には情報素子制御用駆動釦６，７に基づいて回転方向検出回路１８が検出した検出信号が流れる。またＣＰＵ１５には、アンテナ１３で受信されかつ電話回路２０や信号変換回路１７をそれぞれ介して変換された変換信号が流れる。
【００１８】
上記構成に於いて、縦長表示画面１２を横長表示画面１２ａ（１２ｂ）の状態に使用したい場合には、液晶表示部１０を手で左右いずれかに略９０度回転させる。この場合、そのままの状態では入力操作部１０の操作釦５の文字と横長表示画面１２ａ（又は１２ｂ）の文字は交差状態になってしまう。
つまり、横長表示画面の文字等が横（倒れた）状態になり、読み難くなる。そこで、左又は右の情報素子制御用駆動釦６（７）を押す。ここで、例えば左駆動釦６を押すと、回転方向検出回路１８は左駆動釦６の入力信号を検知し、この検知信号はＣＰＵ１５に流れる。
【００１９】
ＣＰＵ１５は回転方向検出回路１８から「左側に回転した旨」の検知信号を受け取ったならば、この検知信号に基づく制御信号を情報素子駆動回路１９に送る。
【００２０】
情報素子駆動回路１９は、縦長表示画面１２から横長表示画面１２ａになった当該ワイド画面１２ａに文字情報、図形情報、映像情報などの情報がそれぞれ正しく表示されるように情報素子を駆動制御する。
【００２１】
この情報素子駆動回路１９の各機能について述べると、（ａ）図示しない液晶表示板の走査方向を反転して文字等を縦（起こす）状態にする機能、（ｂ）当該情報を反転させた場合に文字数、行数等を当該ワイド画面１２ａに対応して画面全体に表示設定させる機能、（ｃ）方向盤４の操作に基づくカーソルの移動方向を当該ワイド画面に対応して正しく指示する切り替え機能がある。
【００２２】
なお、上記の場合、右駆動釦７を押すと、情報素子駆動回路１９は、縦長表示画面１２から横長表示画面１２ｂになった当該ワイド画面１２ｂに文字情報、図形情報、映像情報などの情報がそれぞれ正しく表示されるように情報素子を駆動制御する。この場合ＣＰＵ１５は回転方向検出回路１８から「右側に回転した旨」の検知信号を受け取り、この検知信号に基づく制御信号を情報素子駆動回路１９に送る。以下、情報素子駆動回路１９の各機能は上記と同様である。
【００２３】
また、横長表示画面１２ａ（１２ｂ）から縦長表示画面１２に戻した場合には中央部の駆動釦８を押す。中央部の駆動釦８を押した時に於いて、ＣＰＵ１５は回転方向検出回路１８から「初期状態に戻した旨」の検知信号を受け取り、この検知信号に基づく制御信号を情報素子駆動回路１９に送る。
【００２４】
図５は情報素子駆動回路１９の各機能により表示画面１２，１２ａ，１２ｂに表れた文字情報の態様を簡単に示したものである。
【００２５】
【実施例】
第１実施例に於いて、液晶表示部１０は左右いずれにも回転可能であるが、必ずしも左右に回転させる必要はない。本発明の目的は、縦長表示画面を横長表示画面にすることができれば十分であるから、液晶表示部１０を左右いずれか（例えば左のみ）に回転させることができれば良い。この場合には左右いずれかの制御用駆動釦を１個設ければ良い。
【００２６】
また第１実施例では複数個の情報素子制御用駆動釦６，７，８が配設されているが、必ずしも複数個である必要はない。例えば１個の駆動釦を入力操作部３又は液晶表示部に設け、該駆動釦を繰り返して押すと、「まず左駆動釦６を押した場合の信号、次に右駆動釦７を押した場合の信号、次いで復帰駆動釦８を押した場合の信号」というように断続的な駆動信号が回転方向検出回路１８に流れるようにしても良い。
【００２７】
次に第２実施例乃至第４実施例について説明する。なお、これらの実施例の説明にあたって、第１実施例と同一又は同様（機能が同一）の部分には、同一又は同様の符号を付し、重複する説明を省略する。
【００２８】
図６乃至図９に示す第２実施例に於いて、第１実施例と主に異なる点は、携帯用電話機Ｘ１の蓋体支持部１ｂの下部中央部にプッシュ式情報素子制御用駆動切換えスイッチ２５を１個設けたことである。この切換えスイッチ２５は、図６で示すように液晶表示部１０が縦状態の場合には液晶表示部１０の裏面により押され、蓋体支持部１ｂに内装したバネ２６のバネ力に抗して蓋体支持部１ｂ内に下降している。
【００２９】
一方切換えスイッチ２５は、図７及び図８で示すように液晶表示部１０を電話機本体１に対して左に略９０度回転させた場合には、液晶表示部１０の裏面から開放されるため、バネ２６のバネ力により所定位置まで上昇する。
【００３０】
上記構成に於いては、電話機本体１に対して液晶表示部１０を左に９０度倒すと、駆動切換えスイッチ２５が作動（上昇）する。この時回転方向検出回路１８はスイッチが切り替わった旨の上昇信号を検出すると、「いわば縦長表示画面１２が横長表示画面１２ａになったこと」を検出し、この検出信号をＣＰＵ１５に出力する。これに対して液晶表示部１０を元の状態に戻すと、駆動切換えスイッチ２５が下降する。
【００３１】
したがって、回転方向検出回路１８はスイッチが切り替わった旨の下降信号を検出するから、「いわば横長表示画面１２ａが縦長表示画面１２に戻ったこと」を検出し、この検出信号をＣＰＵ１５に出力する。以下、ＣＰＵ１５等が回転方向検出回路１８から検出信号を受理した場合の制御や機能は、第１実施例と同様なので割愛する。
【００３２】
なお、この第２実施例では液晶表示部１０を左にのみ９０度倒してワイド画面にするが、第１実施例のように左右いずれに倒しても良い。その場合には回転方向検出回路１８は、複数個の駆動切換えスイッチ２５の駆動信号を選択的に検知する。
【００３３】
図１０乃至図１２に示す第３実施例に於いて、第１実施例と主に異なる点は、（１）電話機本体１Ａに蓋体が設けられていない。したがって、液晶表示部１０Ａは蓋体に軸支されていないから、入力操作部３Ａに対しても交差状態に回転しない。（２）これに対し、前記入力操作部３Ａは電話機本体１Ａのベース部１ａに支軸１１Ａを介して回転可能に設けられ、或いは電話機本体１Ａは入力操作部３Ａに対して回転可能に設けられている。
この電話機Ｘ２では、アンテナ１３を有する普通一般の液晶表示部１０Ａと入力操作部３Ａを支持する板状のベース部１ａは、軸支部２を介して開閉自在に連結している。
【００３４】
したがって、入力操作部３Ａの方向盤４や操作釦５を右手で操作しようとする場合には、図１０に示すように、入力操作部３Ａの位置を変えないで、液晶表示部１０Ａが左側に位置するように電話機本体１Ａを回転させる。もちろん、電話機Ｘ２をワイド画面で利用しようとする場合には、入力操作部３Ａを９０度回転した後に電話機本体１Ａを横にしても良い。そして、この場合には左側の制御用駆動釦６を押すと（駆動切換えスイッチの場合には自動的に）横長表示画面１２ａに表れる文字情報、図形情報も横方向に表れる（図５と同じ）。
【００３５】
なお、図１１は入力操作部３Ａの方向盤４や操作釦５を左手で操作しようとする場合を示している。この場合は入力操作部３Ａの位置を変えないで、液晶表示部１０Ａが右側に位置するように横に回転させる。その余の説明は第１実施例と同様なので割愛する。
【００３６】
図１３乃至図１６に示す第４実施例の携帯用電話機Ｘ３に於いて、第１実施例と主に異なる点は、第１実施例の縦長液晶表示部１０は、電話機本体１のベース板部１ａに連設する蓋体支持部１ｂに軸支されているのに対し、第４実施例の縦長液晶表示部１０Ｂは、を電話機本体１Ｂのベース板部１ｂに軸支部２を介して回転自在に軸支された支持部材３０の一端部に軸支されていることである。
しかして、支持部材３０は、図１５及び図１６で示すように、断面チャンネル形状の嵌合支持枠部３１と、この嵌合支持枠部３１の底壁に突出形成された左右の軸受け部３２，３２とから成る。
【００３７】
そこで、図１３を基準にすると、縦長液晶表示部１０Ｂの下端部の一端部（右端部）は、嵌合支持枠部３１に横設軸架した支軸１１Ｂを介して該嵌合支持枠部３１に回転自在に軸支されている。そして、嵌合支持枠部３１の他端部（左端部）には、縦長液晶表示部１０Ｂの下端部が水平状態に嵌合支持枠部３１内に嵌合した際に、該縦長液晶表示部１０Ｂに設けた可動式の係合手段３５と係合する被係合部（例えば係合小孔）３４，３４が形成されている。
【００３８】
しかして、前記可動式の係合手段３５は、図１５及び図１６で示すように、縦長液晶表示部１０Ｂの下端部の他端部（自由端部）内に設けられた円筒状の収容筒３５ａと、この収容筒３５ａ内に組み込まれたバネ（例えばコイルスプリング）３５ｂと、このバネ３５ｂのバネ力によって係合部が常時外方向に突出するように付勢され、かつ、内端部にストッパー機能を有するフランジ部を有する一対の可動係合ピン３５ｃ，３５ｃとから成る。
【００３９】
また前記入力操作部３Ｂの側壁上端部には、縦長液晶表示部１０Ｂが支軸１１Ｂを介して略９０度回転した際に、横長状態になった該液晶表示部１０Ｂを所定位置に止める突起状のストッパー部３６が突設されている。なお、前記ストッパー部３６にはストラップ用の小孔３７が形成されている。
【００４０】
上記構成に於いて、縦長液晶表示部１０Ｂは、図１４で示すように支軸１１Ｂを支点に略９０度回転する。この時縦長液晶表示部１０Ｂは所定の角度以上回転しないようにストッパー部３６に下部側壁が支持される。一方、縦長液晶表示部１０Ｂを元の状態に戻した場合には、可動係合ピン３５ｃ，３５ｃがバネバネ３５ｂのバネ力に抗して一旦後退した後に入力操作部３Ｂの被係合部３４，３４にそれぞれ係合する。
【００４１】
したがって、このように構成しても、第１実施例と同様の目的を達成することができる。
【００４２】
ところで、本実施例では折り畳み式の携帯電話機を例にして説明したが、ストレート型の携帯電話機の場合にも適用できる。この場合携帯用電話機の入力操作部は、下部側にベース板部に一体的に設けられ、このベース板部に連設する支持部（蓋体支持部に相当）に液晶表示部が回転自在に軸支されている。
【００４３】
【発明の効果】
以上の説明から明らかなように、本発明にあっては、次に列挙するような効果がある。
（１）携帯電話機の縦長表示画面を横長表示画面としても使用することができる。したがって、横長表示画面の方が見やすい、文字を読み易いと感じている人々の要求を満たすことができる。
（２）縦長表示画面を横長表示画面にした時、操作釦一つで、又は自動的に横長表示画面に対応して情報の位置や表示設定が正しく表れる。したがって、操作性が良い。
（３）普通一般に普及している携帯用電話機に対して合理的な構成により適用することができる。つまり、入力操作部に支持部又は支持部材を設け、縦長状の液晶表示部を手で略９０度回転させるだけで良いので、現在普及している携帯用電話機の形態ないし外観構造を複雑化する必要がない。
【図面の簡単な説明】
図１乃至図５は本発明の第１実施例を示す各概略説明図。図６乃至図９は本発明の第２実施例を示す各概略説明図。図１０乃至図１２は本発明の第３実施例を示す各概略説明図。図１３乃至図１６は本発明の第４実施例を示す各概略説明図。
【図１】第１実施例の正面からの説明図（電話機を開いた状態）。
【図２】液晶表示部を左に回した時の正面からの説明図。
【図３】液晶表示部を右に回した時の正面からの説明図。
【図４】電話機の内部回路の概略説明図。
【図５】液晶表示部を回転した場合に於いて、横長表示画面に表れる情報の表示状態を示す説明図。
【図６】第２実施例の正面からの説明図。
【図７】液晶表示部を左に回した時の正面からの説明図。
【図８】図７の８−８線断面説明図。
【図９】電話機の内部回路の概略説明図。
【図１０】第３実施例に於いて、電話機を横長表示画面の状態にし、右手で操作する場合の説明図。
【図１１】電話機を横長表示画面の状態にし、左手で操作する場合の説明図。
【図１２】要部の概略説明図。
【図１３】第４実施例の正面からの説明図（電話機を開いた状態）。
【図１４】液晶表示部を右に回した時の正面からの説明図。
【図１５】要部（支持部材、係合手段など）を斜視から示した概略説明図。
【図１６】要部（支持部材、係合手段など）の概略断面説明図。
【符号の説明】
Ｘ，Ｘ１，Ｘ２，Ｘ３…携帯用電話機、１，１Ａ…電話機本体、１ａ…ベース板部、１ｂ…蓋体支持部、２…軸支部、３，３Ａ，３Ｂ…入力操作部、４…方向盤、５…操作釦、６，７，８…情報素子制御用駆動釦、１０，１０Ａ，１０Ｂ…液晶表示部、１１，１１Ａ，１１Ｂ…支軸、１２…縦長表示画面、１２ａ，１２ｂ…横長表示画面、１３…アンテナ、１５…中央演算処理装置、１６…ファイル装置、１７…信号変換回路、１８…回転方向検出回路、１９…情報素子駆動回路、２０…電話回路、２１…スピーカ、２２…マイク、２５…切換えスイッチ、２６…バネ、３０…支持部材、３１…嵌合支持枠部、３２…軸受け部、３５…係合手段、３６…ストッパー部。
【図１】
2004064716.tif 000003
【図２】
2004064716.tif 000004
【図３】
2004064716.tif 000005
【図４】
2004064716.tif 000006
【図５】
2004064716.tif 000007
【図６】
2004064716.tif 000008
【図７】
2004064716.tif 000009
【図８】
2004064716.tif 000010
【図９】
2004064716.tif 000011
【図１０】
2004064716.tif 000012
【図１１】
2004064716.tif 000013
【図１２】
2004064716.tif 000014
【図１３】
2004064716.tif 000015
【図１４】
2004064716.tif 000016
【図１５】
2004064716.tif 000017
【図１６】
2004064716.tif 000018
【手続補正書】
【提出日】平成14年11月26日(2002.11.26)
【手続補正１】
【補正対象書類名】明細書
【補正対象項目名】特許請求の範囲
【補正方法】変更
【補正の内容】
【特許請求の範囲】
【請求項１】
下部側の入力操作部、上部側の縦長液晶表示部をそれぞれ有する携帯用電話機に於いて、前記液晶表示部を電話機本体のベース板部に連設する支持部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項２】
軸支部２を基準にして下方に位置しかつ掌に載せることができるベース板部１ａ並びに上方に位置しかつベース板部に対して開閉する蓋体支持部１ｂとを有する電話機本体１と、ベース板部に設けられた入力操作部３と、前記蓋体支持部１ｂの内壁面上に軸支され、かつ、初期位置では縦長表示画面に見えるのに対し、水平方向に支軸を介して略９０度回転した場合に表示画面が横長表示画面に見える液晶表示部１０と、電話機に必要な内部回路とをそれぞれ備え、前記横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項３】
下部側の入力操作部、上部側に軸支部を介して開閉自在に設けられかつ縦長液晶表示部をそれぞれ有する携帯用電話機に於いて、前記入力操作部３Ａは電話機本体１Ａのベース部１ａに支軸１１Ａを介して回転可能に設けられ、或いは電話機本体１Ａは入力操作部３Ａに対して回転可能に設けられ、前記縦長液晶表示部は、水平方向に支軸を介して略９０度回転した場合に表示画面が横長表示画面に見え、該横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項４】
請求項１に於いて、入力操作部３Ａには、表示画面に表れる情報を読み易いように反転ないし整列させるために用いられる情報素子制御用駆動釦が設けられていることを特徴とする携帯用電話機。
【請求項５】
下部側の入力操作部、上部側の縦長液晶表示部をそれぞれ有する携帯用電話機に於いて、前記液晶表示部を電話機本体のベース板部に回転自在に軸支された支持部材の一端部に軸支し、該液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする携帯用電話機。
【請求項６】
請求項５に於いて、支持部材は、嵌合支持枠部と、この嵌合支持枠部の底壁に突出形成された軸受け部とから成り、前記嵌合支持枠部の他端部には、縦長液晶表示部の下端部が嵌合した際に、該縦長液晶表示部の係合手段と係合する被係合部が形成されていることを特徴とする携帯用電話機。
【請求項７】
請求項５に於いて、入力操作部の側壁上端部には、縦長液晶表示部が支軸を介して略９０度回転した際に、横長状態になった該液晶表示部を所定位置に止めるストッパー部が突設されていることを特徴とする携帯用電話機。
【手続補正２】
【補正対象書類名】明細書
【補正対象項目名】０００４
【補正方法】変更
【補正の内容】
【０００４】
【課題を解決するための手段】
本発明の携帯用電話機は、下部側の入力操作部、上部側の縦長液晶表示部をそれぞれ有する携帯用電話機に於いて、前記液晶表示部を電話機本体のベース板部に連設する支持部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。


【手続補正３】
【補正対象書類名】明細書
【補正対象項目名】０００５
【補正方法】変更
【補正の内容】
【０００５】
また本発明の携帯用電話機は、軸支部２を基準にして下方に位置しかつ掌に載せることができるベース板部１ａ並びに上方に位置しかつベース板部に対して開閉する蓋体支持部１ｂとを有する電話機本体１と、ベース板部に設けられた入力操作部３と、前記蓋体支持部１ｂの内壁面上に軸支され、かつ、初期位置では縦長表示画面に見えるのに対し、水平方向に支軸を介して略９０度回転した場合に表示画面が横長表示画面に見える液晶表示部１０と、電話機に必要な内部回路とをそれぞれ備え、前記横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。


【手続補正４】
【補正対象書類名】明細書
【補正対象項目名】０００６
【補正方法】変更
【補正の内容】
【０００６】
また本発明の携帯用電話機は、下部側の入力操作部、上部側に軸支部を介して開閉自在に設けられかつ縦長液晶表示部をそれぞれ有する携帯用電話機に於いて、前記入力操作部３Ａは電話機本体１Ａのベース部１ａに支軸１１Ａを介して回転可能に設けられ、或いは電話機本体１Ａは入力操作部３Ａに対して回転可能に設けられ、前記縦長液晶表示部は、水平方向に支軸を介して略９０度回転した場合に表示画面が横長表示画面に見え、該横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。


【手続補正５】
【補正対象書類名】明細書
【補正対象項目名】０００７
【補正方法】変更
【補正の内容】
【０００７】
さらに、本発明の携帯用電話機は、下部側の入力操作部、上部側の縦長液晶表示部をそれぞれ有する携帯用電話機に於いて、前記液晶表示部を電話機本体のベース板部に回転自在に軸支された支持部材の一端部に軸支し、液晶表示部を水平方向に支軸を介して略９０度回転した場合に表示画面が横長表示画面に見えると共に、該横長表示画面に表れる情報は、液晶表示部が回転したことを検知する回転方向検出回路、該回転方向検出回路により検出された検出信号を受け取るＣＰＵ１５、該ＣＰＵから制御信号を受取りかつワイド状態の表示画面に対応して情報の位置や表示設定が正しくなるように液晶表示板に対する情報素子を駆動する情報素子駆動回路１９をそれぞれ介して視覚上見え易く表れることを特徴とする。